(57)【要約】【課題】紐給水を利用して鉢物を栽培する場合において、長期間にわたり水やりをすることなく栽培することが可能。輸送にあたり別途段ボール箱等の輸送用容器を用意する必要をなくす。観賞用のスタンドも用意する必要をなくす。【解決手段】養液槽１と、その上を着脱自在に覆う蓋２と、養液槽１内に配置され保持部材３からなる。蓋２は、中央部に鉢物４を載置し得る載置部７を有し、載置部７の中心に紐吸水用の吸水紐１５を通す穴８が形成されている。保持部材３は着脱自在であり、その中心に輸送時に鉢物４を保持し得る穴９が形成されている。【選択図】  図１
2004298170.tif 000002
【特許請求の範囲】
【請求項１】
養液槽と、前記養液槽の上を着脱自在に覆い、鉢物を載置し得る載置部を有し、前記載置部において紐吸水用の吸液部材を通す穴が形成された蓋と、前記養液槽内に配置され鉢物を養液槽内に保持し得る保持部材からなることを特徴とする鉢物の栽培輸送兼用容器。
【請求項２】
前記保持部材が養液槽内に着脱自在に配置されることを特徴とする請求項１に記載された鉢物の栽培輸送兼用容器。
【請求項３】
前記蓋に水が流れ込むくぼみが形成され、そのくぼみの底に養液槽内に水を落とす穴が形成されていることを特徴とする請求項１又は２に記載された鉢物の栽培輸送兼用容器。
【発明の詳細な説明】
【０００１】
【発明の属する技術分野】
本発明は、紐給水を利用して鉢物を栽培する場合に用いる栽培輸送兼用容器に関する。
【０００２】
【従来の技術】
花卉等の鉢物は、一般には鉢の上から灌水し、肥料は粒状の個体又は水に溶かして鉢の上から与える。この場合、鉢土が保持し得る水の量は限られるので、鉢の大きさつまり鉢土の量にもよるが、夏にはほとんど毎日、多いときには１日に２回以上の灌水が必要となる。
これに対し、いわゆる「紐給水」を利用して、数日間又は長期間にわたり水やりをすることなく鉢物を栽培する方法が知られている。
【０００３】
紐給水とは、例えば下記特許文献１〜３に示すように、鉢土内から鉢底の穴を通して吸水紐（吸水部材）を鉢下の容器内に溜めた水又は肥料入りの水（養液）に垂下し、紐の毛管張力によって鉢土に水又は養液を供給するものである。吸水紐（給水部材）の材質は、例えばタオル地、フェルト、不織布、極太繊維紐、セルローススポンジなどの親水性に富み、毛管張力によって水を吸い上げる作用の強い素材が好適に用いられる。
【０００４】
一方、鉢物を販売店や展示会場に輸送したり逆に持ち帰るとき、あるいは購入者が自宅に持ち帰るとき、例えば下記特許文献２，４に示すように、一般に鉢物は段ボール箱に入れられる。この段ボール箱は鉢物の栽培や展示には不要で、輸送のためにのみ用意されるもので、その分がコストアップとなり、かつ使用後は廃棄されるため資源の浪費にもなる。
また、鉢物は何らかの鉢置き台つまりスタンドの上に置いて観賞することが多い。従って、販売店や展示会場、あるいは自宅において、このようなスタンドを用意する必要もある。
【０００５】
【特許文献１】
特開２０００−３５４４２２号公報
【特許文献２】
特開２０００−３１２５３４号公報
【特許文献３】
特開平２−１７４６１６号公報
【特許文献４】
特開２００１−３０１８６５号公報
【０００６】
【発明が解決しようとする課題】
本発明は、紐給水を利用して鉢物を栽培する場合において、長期間にわたり水やりをすることなく栽培することが可能で、同時に輸送にあたり別途段ボール箱等の輸送用容器を用意する必要をなくすことを目的とする。あわせて、観賞用のスタンドなども特に用意する必要をなくすことを目的とする。
【０００７】
【課題を解決するための手段】
本発明は鉢物の栽培輸送兼用容器に関し、養液槽と、前記養液槽の上を着脱自在に覆い、鉢物を載置し得る載置部を有し、前記載置部において紐吸水用の吸液部材を通す穴が形成された蓋と、前記養液槽内に配置され鉢物を養液槽内に保持し得る保持部材からなることを特徴とする。なお、栽培時には、養液層内に養液が入れられるが、必要に応じて単なる水が入れられることもある。
この栽培輸送兼用容器において、前記保持部材は養液槽内に着脱自在に配置されることが望ましい。この場合、前記保持部材は、養液槽内にガタつかないように設置し得る例えば板状の部材であり、その適宜位置に鉢の外周を保持し得る穴が形成されている。
この栽培輸送兼用容器において、前記蓋に水が流れ込むくぼみを形成し、そのくぼみの底に養液槽内に水を落とす穴を形成することができる。この蓋は雨水などを養液層内に導入する作用を有する。
【０００８】
【発明の実施の形態】
以下、図１〜図３を参照して、本発明に係る栽培輸送兼用容器について具体的に説明する。
図１，２に示す栽培輸送兼用容器は、養液槽１と、養液槽１の上を覆う蓋２と、養液槽１内に配置された板状の保持部材３からなり、これらはいずれもプラスチック製である。
養液槽１は輸送時には空にされて鉢物４を収容し、栽培時には水又は養液を入れる容器である。全体的に上広がりに形成され、側壁に環状の段部５が水平に形成されている。蓋２は養液槽１の上に着脱自在に配置され、中央部上面に形成された環状のビード６により画定された載置部７を有し（ただし突起５は必須ではない）、載置部７の中央に穴８が形成されている。保持部材３は前記段部５に着脱自在に置かれるもので、中央部に穴９が形成され、その周囲に下向きのフランジ１０が形成されている。
また、鉢物４は、花卉等の植物１１と、鉢１２、鉢土１３、及び鉢土１３内から鉢底の穴１４を通して下に延びる吸水紐１５からなる。
【０００９】
この栽培輸送兼用容器において鉢物４を栽培（展示、鑑賞）するときは、図１に示すように、養液槽１に養液１６を入れ、蓋２を被せ、鉢物４を蓋２の載置部７に置き、吸水紐１５を蓋２の穴８を通して養液１６中に浸漬する。このとき、保持部材３は外していてもよいが、図１に示すように養液槽１内に置いておけば、紛失のおそれがない。
養液槽１内の養液は吸水紐１５を通して鉢土１３に供給され、養液槽１のサイズや１日当たりの養液の供給量にもよるが、長期間にわたり灌水も施肥もすることなく、植物１１の栽培を継続することができる。吸水作用の強い吸水紐であれば、水位が−２５ｃｍ（鉢１２の底から水面までの距離が２５ｃｍ）くらいまでであればほぼ確実に鉢土１３に養液を供給でき、養液の供給量は吸水紐１５の数、幅などにより調整できる。
吸水作用の強い吸水紐１５を採用することにより、養液槽１の高さをある程度とることができるので、この栽培輸送兼用容器は鉢物４の観賞用スタンドにもなり得る。
【００１０】
この栽培輸送兼用容器において鉢物４を輸送するときは、蓋２を取り、養液槽１の養液を空にし、図２に示すように、鉢物４を保持部材３の穴９にはめ入れ、養液槽１の底面上に載置する。このとき、鉢１２の側面と穴９の周囲のフランジ１０の内面が接触しているか又はごく狭い隙間を介して対面し、鉢物４が水平面内でガタつかないように保持される（そうなるように、穴９の大きさ及びフランジ１０の形状（傾斜）を鉢１２の外形に合わせて設定する）のが望ましい。続いて蓋２を養液槽１の上に被せる。
このように鉢物４をセットした栽培輸送兼用容器は、そのまま例えばトラックの荷台に載せて輸送される。蓋２は容器内に強い風が入って植物が倒されるのを防止し、蓋２に形成された穴８は空気の流入口となる。また、この栽培輸送兼用容器は必要に応じて鉢物４を収容したまま積み重ねることもできる。
【００１１】
栽培輸送兼用容器のみを多数個輸送する場合、養液槽１に蓋２及び保持部材３を装着せず、養液槽１、蓋２、保持部材３毎にまとめて積み重ねることにより、大きいスペースをとらずに輸送することができる。養液槽１は１つ１つは相当嵩張るものであるが、全体的に上広がりに形成され積み重ねることができるので、多数個でも余り大きいスペースを必要としない。
【００１２】
図３は別の栽培輸送兼用容器を示す（図１，２と同じ番号は実質的に同じ部材及び部位を示す）。この栽培輸送兼用容器と図１及び図２に示した栽培輸送兼用容器との実質的な相違点は、前者において、蓋２２の外周近傍に水が流れ込むくぼみ２３が環状に形成され、そのくぼみ２３の底に養液槽１内に水を落とし込む穴２４が適宜間隔を置いて複数個形成されている点である。くぼみ２３の外周側はやや高くなり、内周側も中央部に向かってせり上がり、前記中央部が水平な凹部となり、そこが載置部７とされている。
輸送時は先に説明したと同様に、養液槽１を空にして、鉢物４を保持部材３の穴９にはめ入れる（仮想線参照）。
【００１３】
この栽培輸送兼用容器の場合、例えば屋外に設置しておけば、蓋２２上に降った雨水が前記穴２４を通して養液槽１に流れ込み、養液１６の減少を補うことができる。また、鉢物４に灌水すれば、蓋２２上に流れ落ちた水又は養液が前記穴２４を通して養液槽１に流れ込むので、蓋２２をしたままで灌水と同時に養液１６の減少を補うことができる。
なお、一般に植物による水分の蒸散量（吸水量にほぼ等しい）は降水量とほぼ等しいといわれている。従って、この栽培輸送容器を屋外に設置すれば、さらに長期にわたり（理論上は永久に）、灌水を必要とすることなく（必要に応じて施肥のみ行い）、紐吸水による栽培を継続することができる。
【００１４】
【発明の効果】
本発明の栽培輸送兼用容器によれば、紐給水を利用して鉢物を栽培する場合において、長期間にわたり水やりをすることなく栽培を継続することができる。また同時に輸送にあたり別途段ボール箱等の輸送用容器を用意する必要がなく、この容器自体が観賞用のスタンドの役割も果たすので、展示や鑑賞にあたり別途スタンドを用意しなくてもよい。
【図面の簡単な説明】
【図１】本発明に係る栽培輸送兼用容器の断面図（栽培時）である。
【図２】同じくその断面図（輸送時）である。
【図３】本発明に係る別の栽培輸送兼用容器の（栽培時）断面図である。
【符号の説明】
１  養液槽
２，２２  蓋
３  保持部材
４  鉢物
７  載置部
８，９、２４  穴
１５  吸水紐
２３  くぼみ
【図１】
2004298170.tif 000003
【図２】
2004298170.tif 000004
【図３】
2004298170.tif 000005